(57)【要約】      （修正有）【課題】遊園地や公園などの屋外に設置される大型遊具を容易に組立てることができるとともに、その組立から施工までの一連の作業の省力化を提供する。【解決手段】総合遊具の支柱２および踊り場３は、複数の鉄製金具が連接された骨組み構成をなす。すなわち、連結支柱１０の雄ネジ１２が、床基部２０の脚部４０の雌ネジに螺合される。地際金具５０の雄ネジ５２が、当該連結支柱１０の雌ネジに羅合される。また、連結支柱１０の雌ネジが、床基部２０の脚部４０の雄ネジ４２に螺合される。キャップ金具６０の雌ネジが、当該連結支柱１０の雄ネジ１２に羅合される。各鉄製金具の連結部には、ジョイント金具７０が適宜介装される。【選択図】図４
2010193968.tif 000002
【特許請求の範囲】
【請求項１】
一の端縁部における内周面に雌ネジが形成されるとともに、他の端縁部における外周面に雄ネジが形成された金属製の円筒体である複数の連結支柱と、
平面形状を有する金属製の板体である床部、および、前記連結支柱と略一致する断面をなす金属製の円筒体である複数の脚部、を有しており、当該床部の平面に対して当該複数の脚部の軸線がそれぞれ略直交するように設けられた一以上の床基部と、
前記連結支柱と略一致する断面をなす金属製の円筒体であって、一の端縁部が閉口された複数のベース柱と、
前記連結支柱および前記床基部の少なくとも一方に着脱自在に構成された一以上の遊具部材と、
を少なくとも備えており、
前記複数の連結支柱は、一の前記連結支柱に形成された前記雌ネジに他の前記連結支柱に形成された雄ネジを羅合させることによって連接自在に構成されるとともに、
前記複数の脚部の各々は、一の端縁部における内周面に、前記連結支柱に形成された前記雄ネジを羅合可能な雌ネジが形成されるとともに、他の端縁部における外周面に、前記連結支柱に形成された前記雌ネジに羅合可能な雄ネジが形成される一方、
前記複数のベース柱は、前記一の端縁部とは異なる他の端縁部における外周面に、前記連結支柱に形成された前記雌ネジに羅合可能な雄ネジが形成される
ことを特徴とする屋外用組立式遊具。
【請求項２】
前記複数のベース柱は、少なくとも地表に当接する前記他の端縁部およびその近傍が、少なくとも防水性を有する樹脂層によって表面保護されていることを特徴とする請求項１に記載の屋外用組立式遊具。
【請求項３】
前記一以上の床基部は、前記床部が有する矩形状平面における複数の隅部に対して、前記複数の脚部がその側面位置にて各々溶接されるとともに、当該溶接された部位を含めて前記床部の全面が弾性および防水性を有する樹脂層によって表面保護されていることを特徴とする請求項１または２に記載の屋外用組立式遊具。
【発明の詳細な説明】
【技術分野】
【０００１】
本発明は、複数の支柱や床材などを使用して組み立てられる遊具に関し、より詳細には、屋外に設置される大型遊具に関する。
【背景技術】
【０００２】
従来、遊園地や公園などの屋外に設置される大型遊具として、ジャングルジム，丸太登り，アーチネット，滑り台などや、これらを複合した総合遊具などが知られている。これらの大型遊具は、安全性や耐久性などの仕様条件を満たすように、支柱や床材などの基礎構造は鉄やステンレスなどの金属部材によって設計および製造されるのが通常である。また、大型遊具が屋外に設置されるのを鑑みて、腐食や劣化の進みやすい地中への埋込部や各部材の接合部などには錆止め塗装を施している。
【０００３】
このような大型遊具は、その設置条件や組合せ遊具の種類などに応じて、例えば作業者が鉄製の支柱や床材などを溶接したり遊具類を連結したりして、工場内で一品ずつ組み立てられる。そして、工場内での組立が完了すると大型トラックに荷積みして設置場所まで運搬し、大型遊具を設置場所に立設することで施工が完了する。そして、この大型遊具の組立から施工までの一連の作業では、作業者が多大な労力および時間を費やしていた。
【０００４】
そこで、従来より、大型遊具のような構造物の組立や施工などを容易化するための技術が各種提案されている。例えば、パイプの着脱を弱い力で簡単に行うことができる継手構造を有するジャングルジム（例えば、特許文献１参照）や、組立用部材に形成されたレール溝に沿ったランダムな位置で、施工し易い部分から、他の組立用部材との締結作業をランダムに行なうことが可能な固定具（例えば、特許文献２参照）などが知られている。
【先行技術文献】
【特許文献】
【０００５】
【特許文献１】特開２００６−３４５９４９号公報
【特許文献２】特開平１１−１４１５１１号公報
【発明の概要】
【発明が解決しようとする課題】
【０００６】
しかしながら、特許文献１に記載の発明では、樹脂製のパイプを樹脂成形された継手を介して連結しているので組立および解体が容易であるが、屋外に設置する大型遊具としては、安全性および耐久性の観点から、このような樹脂製部材による構造体を採用することはできない。特に、大型遊具の自重や利用者の体重などの荷重が大きい部材連結部に、上記のような継手を採用すると、その荷重に耐えかねて継手が破損しまい大型遊具が崩壊するおそれがある。
【０００７】
また、特許文献２に記載の発明では、頭部のレール溝方向の移動を制限するような脚部を有するボルトのみで、部材相互の連結を行なっている。これによれば、施工ミスのやり直しが容易で成功時間の短縮が図ることができる一方で、かかる技術を大型遊具に採用すると、特許文献１に記載の発明と同様に、ボルトが荷重に耐えかねて破損しまい大型遊具が崩壊するおそれがある。
【０００８】
このように、従来では、大型遊具の搬入から施工までの一連の作業を省力化するための有効な技術が存在しなかった。特に、大型遊具を一体に組み立てられた状態で工場から設置場所まで運搬しなければならず、その運搬作業に多大な労力および時間を労するのみならず、当該大型遊具を傷つけないように細心の注意を払う必要があった。さらに、巨大で多品種に亘る大型遊具を在庫として保持することは非効率であるため、大型遊具を受注に応じて一品ずつ生産しなければならず施工完了までに多大な時間を要するという問題があった。
【０００９】
本発明の目的は、遊園地や公園などの屋外に設置される大型遊具を容易に組立てることができるとともに、その搬入から施工までの一連の作業を省力化することができる屋外用組立式遊具を提供することにある。
【課題を解決するための手段】
【００１０】
上記課題を解決するための本発明は、一の端縁部における内周面に雌ネジが形成されるとともに、他の端縁部における外周面に雄ネジが形成された金属製の円筒体である複数の連結支柱と、平面形状を有する金属製の板体である床部、および、前記連結支柱と略一致する断面をなす金属製の円筒体である複数の脚部、を有しており、当該床部の平面に対して当該複数の脚部の軸線がそれぞれ略直交するように設けられた一以上の床基部と、前記連結支柱と略一致する断面をなす金属製の円筒体であって、一の端縁部が閉口された複数のベース柱と、前記連結支柱および前記床基部の少なくとも一方に着脱自在に構成された一以上の遊具部材と、を少なくとも備えており、前記複数の連結支柱は、一の前記連結支柱に形成された前記雌ネジに他の前記連結支柱に形成された雄ネジを羅合させることによって連接自在に構成されるとともに、前記複数の脚部の各々は、一の端縁部における内周面に、前記連結支柱に形成された前記雄ネジを羅合可能な雌ネジが形成されるとともに、他の端縁部における外周面に、前記連結支柱に形成された前記雌ネジに羅合可能な雄ネジが形成される一方、前記複数のベース柱は、前記一の端縁部とは異なる他の端縁部における外周面に、前記連結支柱に形成された前記雌ネジに羅合可能な雄ネジが形成されることを特徴とする。
【００１１】
本発明の屋外用組立式遊具は、複数の連結支柱，一以上の床基部，複数のベース柱，一以上の遊具部材が一体に組み立てられる構造をなし、少なくとも連結支柱、床基部およびベース柱は金属製である。「金属製」としたのは、屋外に設置される大型遊具として耐えうる安全性および耐久性を実現するためであり、好適には鉄やステンレスが挙げられる。
【００１２】
複数の「連結支柱」は、その両端縁部に雌ネジおよび雄ネジが形成された金属製円筒体である。雌ネジおよび雄ネジは、それぞれ端縁部の内周面および外周面に形成されているため、一の連結支柱に形成された雌ネジに他の連結支柱に形成された雄ネジを羅合させると、これらの連結支柱の各外周面が略面一となるように連結される。なお、複数の連結支柱は、全て同一の全長を有していてもよいし、複数パターンの全長を有していてもよい。
【００１３】
一以上の「床基部」は、平面形状を有する金属製の板体である床部の平面に対して複数の脚部の軸線がそれぞれ略直交するように、当該床部に対して各脚部が溶接，接着，ネジ止めなどで予め一体に固定されている。ここで、床部には利用者が乗り降りするため、この床部と各脚部との接合部には大きな荷重が加えられることから、安全性および耐久性を考慮すると、床部および各脚部が予め溶接固定されていることが好適である。
【００１４】
ここで、複数の「脚部」は、連結支柱とほぼ同一の形状をなす金属製円筒であるが、一の床部に取り付けられるもので一組をなし、一組の脚部は全長がそれぞれ等しい（所定長である）ことが好適である。そして、脚部に形成された雌ネジに連結支柱に形成された雄ネジを羅合させると、当該脚部および当該連結支柱の各外周面が略面一となるように連結される。また、連結支柱に形成された雌ネジに脚部に形成された雄ネジを羅合させると、当該脚部および当該連結支柱の各外周面が略面一となるように連結される。なお、各脚部は、長尺の連結支柱とは異なり、少なくとも連結支柱の雄ネジを内挿可能な程度の全長を有していればよい。
【００１５】
複数の「ベース柱」は、連結支柱とほぼ同一の形状をなす金属製円筒であるが、一の端縁部が閉口されている点で連結支柱とは異なる。また、各ベース柱には、他の端縁部における外周面に雌ネジが形成されており、この雄ネジを連結支柱に形成された雌ネジに羅合させると、当該ベース柱および当該連結支柱の各外周面が略面一となるように連結される。また、各ベース柱の閉口された他の端縁部には、地表への立設状態を強固にするために、その外周側に突出するスタンドベース（足部）が形成されていることが好ましい。
【００１６】
一以上の「遊具部材」は、連結支柱および床基部の少なくとも一方に着脱自在に構成された遊具類であり、各種滑り台，半割り丸太登り，アーチネット登りなどが例示される。遊具部材は、連結支柱および床基部の少なくとも一方に着脱自在であれば、その種別、形状および大きさは限定さない。また、遊具部材は、連結支柱や床基部に対して溶接，接着，ネジ止めなどで取り付けられればよいが、着脱を容易にするために他の取付具を介して固定する態様（例えば、ネジ止め）であることが好適である。
【００１７】
なお、連結支柱、床基部の脚部およびベース柱は、屋外用組立式遊具を地上に立設させた場合における各部材の下端縁部を「一の端縁部」とするため、屋外用組立式遊具を地上に立設させると各雌ネジは下向きに位置する。また、連結支柱、床基部の脚部およびベース柱は、屋外用組立式遊具を地上に立設させた場合における各部材の上端縁部を「他の端縁部」とするため、屋外用組立式遊具を地上に立設させると各雄ネジは上向きに位置する。
【００１８】
上記解決手段に係る屋外用組立式遊具によれば、床基部の脚部の両端側に一の連結支柱（あるいは、二以上が連接された連結支柱）をそれぞれ繋ぎ合わせて、さらに各脚部からみて一端側（つまり、屋外用組立式遊具が立設された場合における下方側）に位置する連結支柱の一端側にベース柱をそれぞれ繋ぎ合わせることで、屋外用組立式遊具の骨組み構造が完成する。そして、この骨組み構造をベース柱が接地するように立設して、当該骨組み構造における連結支柱や床部の適宜位置に遊具部材を取り付けることで、屋外用組立式遊具の組立および設置が完了する。
【００１９】
このように、屋外用組立式遊具は、連結支柱、床基部の脚部およびベース柱を互いの雄ネジおよび雌ネジで羅合させるだけで骨組み構造が完成し、この骨組み構造の適宜位置に遊具部材を取り付ければよいため、屋外用組立式遊具を容易かつ迅速に組み立てることができる。また、屋外用組立式遊具を分割構成する各部材を、その設置場所まで運搬したうえで組み立てればよいため、屋外用組立式遊具の運搬時における作業者の手間や負担が軽減される。しかも、汎用性のある遊具部材を、屋外用組立式遊具の適宜位置に取り付けることができるので、設置条件や利用者ニーズに応じた自由度の高い大型遊具を実現できる。このように、本発明の屋外用組立式遊具によれば、遊園地や公園などの屋外に設置される大型遊具を容易に組立てることができるとともに、その組立から施工までの一連の作業を省力化することができる
【００２０】
また、屋外用組立式遊具では、連結支柱、床基部の脚部およびベース柱を互いの雄ネジおよび雌ネジを連結させて繋ぎ合わせるだけで（特に、二以上の連結支柱を連接するだけで）、任意の全長をなす一体の支柱を形成することができ、屋外用組立式遊具の高さを任意に設定することができる。そして、屋外用組立式遊具を立設した際には、床基部の床部が地上からみた最適な高さに位置決めされるようにすることができ、利用者の利用頻度が高い床部の高さの調整も容易である。さらに、二以上の床基部に対してそれぞれ連結支柱およびベース柱を組み付けた各ユニットを平面方向に連設することで、屋外用組立式遊具の平面方向の大きさ（広さ）も任意に設定可能である。
【００２１】
しかも、屋外用組立式遊具では、その骨組み構造を形成する各部材（連結支柱、床基部の脚部およびベース柱）を金属製の円筒体とし、その立設状態において下方の雄ネジが上方の雌ネジに内挿されるねじ込み構造を採用するとともに、利用者の荷重が大きい床部が各脚部に予め一体化された床基部を用いたため、屋外用組立式遊具を大型化しても安定性および耐久性に確保することができる。
【００２２】
また、本発明に係る屋外用組立式遊具において、前記複数のベース柱は、少なくとも地表に当接する前記他の端縁部およびその近傍が、少なくとも防水性を有する樹脂層によって表面保護されていることが好ましい。従来より、支柱が立設される下端部（接地部）は、雨水などによって錆が発生しやすく腐食劣化のおそれが高い。そのため、大型遊具を組み立てたのちに、支柱の他部位を養生しつつ地表への接地部のみに対して錆止塗装などを施して、接地部での錆発生を防止していた。
【００２３】
上記解決手段によれば、ベース柱は少なくとも接地される他の端縁部およびその近傍（ベース柱の全面を含む。）が防水性の樹脂層によって表面保護されているため、錆の発生が発生し難く腐食劣化が抑制されて耐久性が向上する。また、ベース柱は予め防水性の樹脂層で表面保護されているので、屋外用組立式遊具を組み立てたのちに錆止塗装などを施す必要がない。さらに、ベース柱の表面に樹脂層を形成する場合にも、支柱の他部位を養生する必要がないため、作業者の負担が軽減される。なお、「少なくとも防水性を有する樹脂層」としては、例えば、ウレタン系塗料を塗装して形成された塗膜が例示される。
【００２４】
また、本発明に係る屋外用組立式遊具において、前記一以上の床基部は、前記床部が有する矩形状平面における複数の隅部に対して、前記複数の脚部がその側面位置にて各々溶接されるとともに、当該溶接された部位を含めて前記床部の全面が弾性および防水性を有する樹脂層によって表面保護されていることが好ましい。従来より、大型遊具の床部は、利用者が乗り降りする際に頭部をぶつけたり転んだりするおそれがある。そのため、大型遊具を組み立てたのちに、支柱を養生しつつ床部のみに対して弾性塗装などを施して、床部の表面に塗膜による弾性をもたせていた。なお、あらかじめ床部のみに弾性塗装を施しておくことが考えられるが、床部を支柱に溶接固定しなければならない関係上、予め床部に弾性塗装を施すと溶接時に塗膜が剥がれる問題がある。
【００２５】
上記解決手段によれば、床基部は、床部が有する矩形状平面における複数の隅部（例えば、平面視で正方形面の四隅）に対して、各脚部がその側面位置（好適には、各脚部の軸線方向長さの略中間位置）にて各々溶接される。そして、この溶接された部位を含めて床部の全面が予め弾性を有する樹脂層によって表面保護されているため、利用者が頭部をぶつけたり転んだりしても怪我の発生が抑制されて安全性が向上する。また、床部の全面は予め樹脂層で表面保護されているので、屋外用組立式遊具を組み立てたのちに弾性塗装などを施す必要がない。さらに、床部の表面に樹脂層を形成する場合にも、各脚部のみを養生すれば足りるため、支柱全体を養生する必要がなく作業者の負担が軽減される。
【００２６】
さらに、床基部における床部および各脚部の溶接部は、床部を乗り降りする利用者や取り付けられる遊具部材の荷重が大きいところ、床部に溜まった雨水などの影響で錆が発生しやすく、当該溶接部の腐食劣化が屋外用組立式遊具の耐久性に影響を及ぼすおそれがある。その点、各脚部との溶接部を含めて床部の全面が予め防水性を有する樹脂層によって表面保護されているため（言い換えると、一の樹脂層が防水機能および弾性機能を兼備するため）、床部（特に、各脚部との溶接部）における錆の発生が発生し難く腐食劣化が抑制されて耐久性が向上する。なお、「弾性および防水性を有する樹脂層」としては、例えば、ウレタン系塗料を塗装して形成された塗膜が例示される。
【発明の効果】
【００２７】
本発明によれば、遊園地や公園などの屋外に設置される大型遊具を容易に組立てることができるとともに、その組立から施工までの一連の作業を省力化することができる。
【図面の簡単な説明】
【００２８】
【図１】総合遊具１の平面図である。
【図２】総合遊具１の正面図である。
【図３】総合遊具１の側面図である。
【図４】支柱２および踊り場３を中心とした部品展開斜視図である。
【図５】連結支柱１０の正面図である。
【図６】床基部２０の正面図である。
【図７】地際金具５０の正面図である。
【図８】キャップ金具６０の正面図である。
【図９】ジョイント金具７０の平面図および正面図である。
【図１０】総合遊具１の骨組み構造に各種遊具を取り付ける態様を説明するための部分拡大図である。
【図１１】総合遊具１の骨組み構造に各種遊具を取り付ける態様を説明するための他の部分拡大図である。
【発明を実施するための形態】
【００２９】
以下、本発明に係る屋外用組立式遊具を実施するための最良の形態について、図面を用いて具体的に説明する。本実施形態においては、屋外用組立式遊具として組立式の総合遊具１を例示して説明する。
【００３０】
まず、図１〜図３を参照して、総合遊具１の概要について説明する。図１は、総合遊具１の平面図である。図２は、総合遊具１の正面図である。図３は、総合遊具１の側面図である。なお、以下では、図１における上下方向（つまり、図３の左右方向）が、総合遊具１の前後方向に相当し、図１における左右方向（つまり、図２の左右方向）が、総合遊具１の左右方向に相当するものとして説明する。
【００３１】
図１に示すように、総合遊具１は、各種滑り台，半割丸太登り，アーチネット登りなどの複数種類の遊具が組み合わされた組立式の大型複合遊具である。総合遊具１は、地表に対して垂直に立設された複数の支柱２を有しており、これらの支柱２における適当な高さ位置に複数の踊り場３が適宜取り付けられ、さらに支柱２や踊り場３に各種遊具が適宜取り付けられている。つまり、総合遊具１は、複数の支柱２および複数の踊り場３が組み合わされた骨組み構造を有しており、この骨組み構造を基礎として各種遊具が取り付けられている。
【００３２】
本実施形態の総合遊具１は、１２本の支柱２ａ〜２ｌと４つの踊り場３ａ〜３ｄとにより骨組み構造が構成されている。各支柱２は、長尺筒状をなす鉄製円筒であって、複数の円筒体が一体に連接された構造をなす。ここでは、１２本の支柱２ａ〜２ｌが２パターンの全長を有しており、支柱２ａ，２ｂ，２ｃ，２ｄ，２ｇ，２ｈ，２ｉ，２ｊが全長略３４００ｍｍの長手支柱であり、支柱２ｅ，２ｆ，２ｋ，２ｌが全長略２３００ｍｍの短手支柱である。また、各踊り場３は、平面視で正方形をなす薄手の鉄板（床板）によって形成され、この踊り場３を形成する床板がその四隅で円筒体と接合された構造をなす。ここでは、４つの踊り場３ａ〜３ｄが同一の形状および大きさを有しており、その両幅は８９０ｍｍである。
【００３３】
複数の支柱２は、各踊り場３に対して取り付けられる４本で一組をなすとともに、当該踊り場３は、それぞれ一組の支柱２に架設された状態で適宜の高さ位置に支持される。具体的には、踊り場３ａは、その四隅に取り付けられる一組の支柱２ａ，２ｂ，２ｃ，２ｄにより略１６００ｍｍの高さ位置にて支持される。踊り場３ｂは、その四隅に取り付けられる一組の支柱２ｃ，２ｄ，２ｅ，２ｆにより略８００ｍｍの高さ位置にて支持される。踊り場３ｃは、その四隅に取り付けられる一組の支柱２ｇ，２ｈ，２ｉ，２ｊにより略１６００ｍｍの高さ位置にて支持される。踊り場３ｄは、その四隅に取り付けられる一組の支柱２ｉ，２ｊ，２ｋ，２ｌにより略１２００ｍｍの高さ位置にて支持される。
【００３４】
この総合遊具１では、平面視で一組の支柱２がそれぞれ同一形状の正方形の四隅を形成するように立設配置される。なお、支柱２ｃ，２ｄは踊り場３ａ，３ｂにそれぞれ共用されるため（つまり、踊り場３ａ，３ｂが前後方向に並ぶため）、６本の支柱２ａ〜２ｆは平面視で１辺が共有された２つの正方形の隅部を形成するように立設配置される。また、支柱２ｉ，２ｊは踊り場３ｃ，３ｄにそれぞれ共用されるため（つまり、踊り場３ｃ，３ｄが前後方向に並ぶため）、６本の支柱２ｇ〜２ｌは平面視で１辺が共有された２つの正方形の隅部を形成するように立設配置される。そして、踊り場３ａ，３ｂおよび踊り場３ｃ，３ｄが、平面視で左右方向に所定間隔（ここでは、１６８０ｍｍ）を挟んで上下方向に並列配置される。
【００３５】
そして、本実施形態の総合遊具１には、スベリ台２０１、パイプスライダー２０２、半割丸太登り２０３、アーチネット登り２０４、ネットブリッジ２０５、ハーフトンネル２０６、グリップ登り２０７および階段２０８が、遊具類として設けられている。また、その他の装飾具として、屋根２０９、装飾パネル２１０，２１１，２１２、開口パネル２１３，２１４，２１５、段差付パネル２１６および安全フード２１７、が設けられている。さらに、利用者が踊り場３を乗り降りする把持可能な補助具として、タラップ３０１や手摺用パイプ３０２も設けられている。なお、本実施形態では、上記のような、遊具類、装飾具および補助具を含めて「各種遊具」と証する。
【００３６】
スベリ台２０１は、アルミ型押し成型された一対の長尺側板の間に特殊樹脂製の滑降面を配置した構成をなす。パイプスライダー２０２は、ＦＲＰ製の大型円筒体が複数連接された一体の長尺円筒状をなし、その内部が連通して利用者が滑り降りることが可能な連続的な滑降面が形成される。半割丸太登り２０３は、半割丸太を模した樹脂成型品が側面視で略９０度円弧を描くように連続配置された遊具であって、その昇降用に棒状手摺やビニロンロープなども備えている。アーチネット登り２０４は、所定幅で格子状をなすビニロンネットが側面視で略９０度円弧を描く一対の側柱に架設された遊具であって、その昇降用に棒状手摺を備えている。ネットブリッジ２０５は、所定幅で格子状をなすビニロンネットが緩やかに勾配するように一対の側柱に架設された遊具であって、所定高さの柵状手摺を有している。ハーフトンネル２０６は、ＦＲＰ製の大型円筒体が水平に複数連接された一体の長尺円筒状をなし、その内部が連通して利用者が通行可能なトンネルが形成される。グリップ登り２０７は、側面視で略４５度傾斜した板状体の適宜位置に岩石を模したゴムグリップが適宜配置された遊具であり、その昇降用に棒状手摺を備えている。階段２０８は、ポリエチレン製の成型品で複数の段差を形成するとともに、所定高さの柵状手摺を有している。
【００３７】
屋根２０９は、略四角錐状の外観を有する部材であって、支柱２ｇ，２ｈ，２ｉ，２ｊの上端部に取り付けられて、踊り場３ｃの天井を形成する。装飾パネル２１０，２１１，２１２は、それぞれ２本の支柱２ａ，２ｂ、支柱２ｃ，２ｄおよび支柱２ｇ，２ｈに亘って、踊り場３ａまたは３ｃから上方に向けて垂直配置された意匠性の高い樹脂板である。開口パネル２１３，２１４，２１５は、それぞれ２本の支柱２ｊ，２ｌ、支柱２ｂ，２ｄおよび支柱２ｇ，２ｉに亘って、踊り場３ａ，３ｃ，３ｄから上方に向けて垂直配置された樹脂板である。これらの開口パネル２１３，２１４，２１５は、その中央部にパイプスライダー２０２またはハーフトンネル２０６に連通する開口部が形成されている。段差付パネル２１６は、地表からの高さ位置が異なる２つの踊り場３ｃ，３ｄの間隙を塞ぐ樹脂板に、平面視で略半月状の踏み板が形成された樹脂成型品である。安全フード２１７は、支柱２ａ，２ｃに亘って踊り場３ａから上方に向けて配置されるとともにアーチ状の開口が形成された樹脂板である。タラップ３０１は、アーチ状に湾曲加工された小径長尺の鉄製パイプであって、支柱２ｅ，２ｆに亘って踊り場３ｂから上方に向けて垂直配置される。手摺パイプ３０２は、直線状をなす小径長尺の樹脂製パイプ（ゴムライニングパイプ）であって、２本の支柱２ｃ，２ｅ、支柱２ｈ，２ｊおよび支柱２ｋ，２ｌに亘って、踊り場３ｃから上方に向けて垂直配置される。
【００３８】
ここで、図４〜図１１を参照して、総合遊具１の組立構造について説明する。図４は、支柱２および踊り場３を中心とした部品展開斜視図である。図５は、連結支柱１０の正面図である。図６は、床基部２０の正面図である。図７は、地際金具５０の正面図である。図８は、キャップ金具６０の正面図である。図９は、ジョイント金具７０の平面図および正面図である。図１０および図１１は、総合遊具１の骨組み構造に各種遊具を取り付ける態様を説明するための部分拡大図である。なお、本実施形態では、総合遊具１の骨組み構造を構成する各部材において、総合遊具１の立設した場合にその下端に向かう方向を「一端側」とし、総合遊具１の立設した場合にその上端に向かう方向を「他端側」とする。
【００３９】
図４に示すように、総合遊具１の支柱２および踊り場３からなる骨組み構造は、複数の連結支柱１０、一以上の床基部２０（床部３０および脚部４０）、複数の地際金具５０、複数のキャップ金具６０および複数のジョイント金具７０が、一体に組み立てられる。これらの骨組み構造を構成する各部品は、屋外に設置される大型遊具として耐えうる安全性および耐久性を満たすべく、全て鉄製の金具類である。
【００４０】
なお、本実施形態では、後述する支柱２を構成する連結支柱１０、脚部４０、地際金具５０、キャップ金具６０およびジョイント金具７０がそれぞれ有する本体円筒の断面が一致しており、具体的には各本体円筒の外径が１０１．６ｍｍおよび肉厚が４ｍｍであるものとする。つまり、支柱２を分割構成する各部品は、全て均等な径長および肉厚を有している。
【００４１】
図４および図５に示すように、複数の連結支柱１０は、長尺状または短尺状の鉄製円筒であって、支柱２の主たる構成部品をなす。連結支柱１０の本体円筒１１は、その軸線方向の一端縁部（ここでは、図４における下端縁部）の内周面に雌ネジ１３が形成される一方、その軸線方向の他端縁部（ここでは、図４における上端縁部）の外周面に雄ネジ１２が形成されている。雄ネジ１２および雌ネジ１３は羅合可能に対応しており、互いのネジ径およびピッチが略等しい。そのため、複数の連結支柱１０は、一の連結支柱１０の雄ネジ１２を他の連結支柱１０の雌ネジ１３に羅合させて一体に繋ぎ合わせることができる（つまり、２以上の連結支柱１０を連接することができる）。本実施形態の連結支柱１０は、雄ネジ１２のネジ部長さＬ１が７５ｍｍ、および、雌ネジ１３のネジ部長さＬ２が３５ｍｍである。また、複数の連結支柱１０は、全て同一の全長を有していてもよいが、ここでは凡そ２００ｍｍ〜１６００ｍｍの複数パターンの全長を有している。
【００４２】
図４および図６に示すように、一以上の床基部２０は、平面形状を有する鉄板である床部３０と、当該床部３０の隅部に各々取り付けられる短尺状の鉄製円筒である複数の脚部４０と、で構成される。床部３０は、平面視で正方形状をなす板体である床面３１と、床面３１の側縁が全周に亘って下方に曲げ形成されたフランジ３２と、フランジ３２の適宜位置に複数穿設されたボルト孔３３と、を有している。また、床面３１の四隅には、脚部４０の外周面をそれぞれ当接可能な略円弧状の切欠き４３が形成されている。なお、本実施形態の床部３０は、床面３１の両辺がそれぞれ８９０ｍｍであり、フランジ３２の幅長（図６における上下方向の長さ）が５０ｍｍである。なお、床部３０の床面３１が、総合遊具１において利用者が乗り降り可能な踊り場３として機能する。
【００４３】
脚部４０は、連結支柱１０と同径をなす短尺状の鉄製円筒であって、支柱２の一部を構成する部品である。脚部４０の本体円筒４１は、本体円筒１１と同様に、その軸線方向の一端縁部（ここでは、図４における下端縁部）の内周面に雌ネジ４３が形成される一方、その軸線方向の他端縁部（ここでは、図４における上端縁部）の外周面に雄ネジ４２が形成されている。雄ネジ４２および雌ネジ４３は羅合可能に対応しており、互いのネジ径、ピッチおよびネジ部長さが略等しい。さらに、この雄ネジ４２は連結支柱１０の雌ネジ１３と羅合可能に対応し、かつ、この雌ネジ４３は連結支柱１０の雄ネジ１２と羅合可能に対応している。本実施形態の脚部４０は、雄ネジ４２のネジ部長さＬ３および雌ネジ４３のネジ部長さＬ４がそれぞれ７５ｍｍである。また、複数の脚部４０は、全て同一の全長（ここでは、全長３００ｍｍ）を有している。
【００４４】
そして、床部３０の四隅に形成された切欠き４３には、一組（ここでは、４本）の脚部４０の外周面が密接された状態で溶接固定されている。そして、各脚部４０は、その本体円筒４１の軸線方向が床面３１の平面方向に対してそれぞれ略直交するとともに、当該脚部４０の軸線方向長さ（つまり、全長）の略中間位置（より詳細には、脚部４０の雄ネジ４２を除いた外周面での全長における中間位置）で床面３１を支持するように、床部３０に固定されている。このように、床基部２０は、先述の支柱２が複数の鉄製円筒で分割構成されるのに対して、床部３０に一組の脚部４０が予め固定された一体の構成部品である。
【００４５】
ところで、総合遊具１の骨組み構造において、踊り場３を乗り降りする利用者や、踊り場３に連結される各種遊具によって、特に床部３０および脚部４０の連結部位に大きな荷重が加えられることになる。そのため、床部３０および脚部４０の連結部位が、この骨組み構造における最も脆弱な部位となりうるが、床基部２０では床部３０および脚部４０があらかじめ一体に溶接固定されているため、大きな荷重に耐えうる安全性および耐久性に優れた構造となっている。
【００４６】
さらに、床基部２０は、床部３０に一組の脚部４０が溶接固定されたのちに、当該脚部４０をシートまたはテープなどで養生（マスキング）したうえで、床部３０および脚部４０の溶接箇所を含めて床部３０の全面に表面保護加工が施されている。この表面保護加工としては、床部３０の全面に超速硬化ウレタン系樹脂を吹き付けて完全被膜するような特殊コーティング加工が例示される。
【００４７】
ところで、踊り場３はその平面に雨水などが溜まりやすく、錆の発生による腐食劣化のおそれが高い。特に、床部３０および脚部４０の溶接部が腐食劣化すると、総合遊具１の耐久性に影響を及ぼすことがある。また、踊り場３を乗り降りする利用者が、その昇降時に床面３１に頭をぶつけたり、床面３１上で転倒したりするおそれもある。本実施形態の床部３０は特殊コーティング加工が予め施されているため、ウレタン塗膜が床部３０（脚部４０との溶接部を含む。）の腐食劣化を抑制して耐久性の向上に寄与する。さらに、このウレタン塗膜は所定の弾性（あるいは、可撓性）を有しているため、利用者が床面３１にて頭部をぶつけたり転倒したりしても、ウレタン塗膜が利用者への衝撃を緩和して安全性の向上に寄与する。
【００４８】
図４および図７に示すように、複数の地際金具５０は、連結支柱１０と同径をなす短尺状の鉄製円筒であって、支柱２の一部を構成する部品である。地際金具５０の本体円筒５１は、その軸線方向の一端縁部（ここでは、図４における下端縁部）が閉口されるとともに、当該一端縁部にて外周側に突出する平面視円形のスタンドベース５３が設けられている。また、本体円筒５１の軸線方向の他端縁部（ここでは、図４における上端縁部）の外周面に雄ネジ５２が形成されている。この雄ネジ５２は連結支柱１０の雌ネジ１３と羅合可能に対応しているが、連結支柱１０の雄ネジ１２よりもネジ部長さが小さい。本実施形態の地際金具５０は、雄ネジ５２のネジ部長さＬ５が３５ｍｍであり、スタンドベース５３が直径２００ｍｍおよび厚み１２ｍｍである。また、複数の地際金具５０は、全て同一の全長（ここでは、全長２４５ｍｍ）を有している。
【００４９】
地際金具５０は、総合遊具１が立設された際に、スタンドベース５３が地表に面接触して支柱２の下端部を構成するため、降雨などで地表に溜まる雨水によって錆が発生しやすい。この地際金具５０には、総合遊具１全体の荷重が加えられるため、その腐食劣化は総合遊具１の耐久性に大きな影響を与えるおそれがある。そのため、地際金具５０にも、その全面に表面保護加工（例えば、先述の超速硬化ウレタン系樹脂を吹き付けて完全被膜するような特殊コーティング加工）が予め施されている。これにより、地際金具５０に表面に形成されたウレタン塗膜が、地際金具５０の腐食劣化を抑制して耐久性を向上させる。
【００５０】
図４および図８に示すように、複数のキャップ金具６０は、連結支柱１０と同径をなす短尺状の鉄製円筒であって、支柱２の一部を構成する部品である。キャップ金具６０の本体円筒６１は、その軸線方向の一端縁部（ここでは、図４における下端縁部）の内周面に、連結支柱１０の雄ネジ１２と羅合可能に対応する雌ネジ６３が形成されている。また、本体円筒６１の軸線方向の他端縁部（ここでは、図４における上端縁部）が、半球状のキャップ体６２で封止されるように閉口されている。本実施形態のキャップ金具６０は、キャップ体６２が５０．８ｍｍの高さ（図７における上下方向長さ）を有し、雌ネジ６３のネジ部長さＬ６が３５ｍｍである。また、複数のキャップ金具６０は、全て同一の全長（ここでは、全長２４０．８ｍｍ）を有している。
【００５１】
図４および図９に示すように、複数のジョイント金具７０は、連結支柱１０と同径をなす鉄製環状体（リング体）である。本実施形態では、３種類のジョイント金具７０ａ〜７０ｃが用意されており、いずれも本体円筒７１が全て同一の全長Ｌ７（ここでは、全長４０ｍｍ）を有しているが、連結腕部７２の有無またはその数量が異なる。連結腕部７２は、本体円筒７１から外周側に突出するように連成されるとともに、その突出方向（本体円筒７１の軸線と略直交する方向）を長手として平面が垂直をなす略長方形状の板状突起である。この連結腕部７２には、その平面を厚み方向に貫通するボルト孔７３が穿設されている。
【００５２】
図９（ａ）に示すジョイント金具７０ａは、平面視で軸線からみて９０度異なる外周方向に突出した２つの連結腕部７２が設けられている。図９（ｂ）に示すジョイント金具７０ｂは、１つの連結腕部７２が設けられている。図９（ｃ）に示すジョイント金具７０ｃは、連結腕部７２が設けられていない。これらのジョイント金具７０ａ〜７０ｃは、当該ジョイント金具７０が取り付けられる位置や、当該ジョイント金具７０に連結される各種遊具に応じて適宜使い分けされるが、詳細は後述する。
【００５３】
図４に戻り、作業者が総合遊具１を組み立てる場合には、床基部２０が有する各脚部４０の両端部に、連結支柱１０をそれぞれ繋ぎ合わせる。すなわち、連結支柱１０の雄ネジ１２を、各脚部４０の雌ネジ４３にそれぞれ螺合させる。このとき、雄ネジ１２のネジ部長さＬ１（ここでは、７５ｍｍ）と雌ネジ４３のネジ部長さＬ４（ここでは、７５ｍｍ）とは等しいため、両ネジ１２、４３を緊密に羅合させると、連結支柱１０および脚部４０は互いに隙間無く且つ略面一となるように連結する。
【００５４】
また、連結支柱１０の雌ネジ１３を、各脚部４０の雄ネジ４２にジョイント金具７０ａを介装させた状態でそれぞれ螺合させる。雌ネジ１３のネジ部長さＬ２（ここでは、３５ｍｍ）は雄ネジ４２のネジ部長さＬ３（ここでは、７５ｍｍ）よりも小さいが、雌ネジ１３のネジ部長さＬ２にジョイント金具７０の全長Ｌ７（ここでは、４０ｍｍ）を加えると雄ネジ４２のネジ部長さＬ３に等しい。そのため、両ネジ１３、４２を緊密に羅合させると、連結支柱１０および脚部４０はジョイント金具７０を介して互いに隙間無く且つ略面一となるように連結する。
【００５５】
なお、各脚部４０の一端側に連接された一の連結支柱１０の雌ネジ１３に、他の連結支柱１０の雄ネジ１２をさらに羅合させることで、各脚部４０の一端側に２以上の連結支柱１０を連接してもよい。また、各脚部４０の他端側に連接された一の連結支柱１０の雄ネジ１２に、さらに他の連結支柱１０の雌ネジ１３を羅合させることで、各脚部４０の他端側に２以上の連結支柱１０を連接してもよい。雌ネジ１３のネジ部長さＬ２（ここでは、３５ｍｍ）は雄ネジ１２のネジ部長さＬ１（ここでは、７５ｍｍ）よりも小さいため、２の連結支柱１０の連接させる場合にはジョイント金具７０を介装させる。これにより、両ネジ１３、１２を緊密に羅合させると、２の連結支柱１０はジョイント金具７０を介して互いに隙間無く且つ略面一となるように連結する。
【００５６】
そして、各脚部４０の一端側に連接された連結支柱１０の一端部（つまり、総合遊具１が立設された場合における下端部）に、作業者が地際金具５０をそれぞれ繋ぎ合わせる。すなわち、地際金具５０の雄ネジ５２を、当該連結支柱１０の雌ネジ１３（２以上の連結支柱１０が連接されている場合は最下端側の連結支柱１０の雌ネジ１３）にそれぞれ螺合させる。このとき、雄ネジ５２のネジ部長さＬ５（ここでは、３５ｍｍ）と雌ネジ１３のネジ部長さＬ２（ここでは、３５ｍｍ）とは等しいため、両ネジ５２、１３を緊密に羅合させると、地際金具５０および連結支柱１０は互いに隙間無く且つ略面一となるように連結する。
【００５７】
さらに、各脚部４０の他端側に連接された連結支柱１０の他端部（つまり、総合遊具１が立設された場合における上端部）に、作業者がキャップ金具６０をそれぞれ繋ぎ合わせる。すなわち、キャップ金具６０の雌ネジ６３を、当該連結支柱１０の雄ネジ１２（２以上の連結支柱１０が連接されている場合は最下端側の連結支柱１０の雄ネジ１２）にそれぞれ螺合させる。雌ネジ６３のネジ部長さＬ６（ここでは、３５ｍｍ）は雄ネジ１２のネジ部長さＬ１（ここでは、７５ｍｍ）よりも小さいが、雌ネジ６３のネジ部長さＬ６にジョイント金具７０の全長Ｌ７（ここでは、４０ｍｍ）を加えると雄ネジ１２のネジ部長さＬ１に等しい。そのため、両ネジ６３、１２を緊密に羅合させると、キャップ金具６０および連結支柱１０はジョイント金具７０を介して互いに隙間無く且つ略面一となるように連結する。
【００５８】
このように、本実施形態の総合遊具１では、床基部２０の各脚部４０の一端側に連結支柱１０および地際金具５０が順に繋ぎ合わされる一方、床基部２０の各脚部４０の他端側に連結支柱１０およびキャップ金具６０が順に繋ぎ合わされる。雌ネジおよび雄ネジの各ネジ部長さが異なる連結部（ここでは、両ネジ１２，１３、両ネジ４２，１３および両ネジ１２，６３の連結部）には、ジョイント金具７０が介装される。そして、床部３０の床面３１が踊り場３を形成するとともに、一体に繋ぎ合わされた連結支柱１０、脚部４０、地際金具５０、キャップ金具６０およびジョイント金具７０が略面一をなす長尺の支柱２を形成して、総合遊具１の骨組み構造が完成する。
【００５９】
図４では、総合遊具１の骨組み構造の最も基本的な態様を例示しているが、上記の構成部品を適宜組み合わせることにより、図１〜３の総合遊具１に示すような多様な骨組み構造を実現できる。例えば、支柱２の全長を調整したい場合は、当該支柱２の一部を構成する連結支柱１０の全長や連接本数を最適なものとすればよい。特に、脚部４０と地際金具５０とを連結する連結支柱１０の全長や連接本数を変化させることで、総合遊具１を立設した場合における床部３０（つまり、踊り場３）の高さ位置を調整することができる。
【００６０】
また、一組の支柱２に連結される床基部２０の数量は１つに限定されず、各支柱２における異なる高さ位置に複数の床基部２０が取り付けられた構造であってもよい。例えば、総合遊具１の上方から順に、キャップ金具６０，連結支柱１０，床基部２０の脚部４０，連結支柱１０，床基部２０の脚部４０，連結支柱１０，地際金具５０となるように一組の支柱２を構成すれば、当該支柱２における異なる高さ位置に２つの床部３０（つまり、踊り場３）が架設されるようになる。
【００６１】
なお、図１〜３に示す総合遊具１では、支柱２ｃ，２ｄには異なる高さ位置に２つの床基部２０（つまり、踊り場３ａ，３ｂ）が取り付けられ、上側の床基部２０（つまり、踊り場３ａ）がさらに支柱２ａ，２ｂに取り付けられるとともに、下側の床基部２０（つまり、踊り場３ｂ）がさらに支柱２ｅ，２ｆに取り付けられる。また、支柱２ｉ，２ｊには異なる高さ位置に２つの床基部２０（つまり、踊り場３ｃ，３ｄ）が取り付けられ、上側の床基部２０（つまり、踊り場３ｃ）がさらに支柱２ｇ，２ｈに取り付けられるとともに、下側の床基部２０（つまり、踊り場３ｄ）がさらに支柱２ｋ，２ｌに取り付けられる。
【００６２】
また、総合遊具１の骨組み構造において、床基部２０のフランジ３２およびジョイント金具７０の連結腕部７２に対して各種遊具が取り付けられる。そのため、各種遊具の取付位置は、床基部２０およびジョイント金具７０の取付位置により規定されることになるが、床基部２０およびジョイント金具７０の高さ位置も、連結支柱１０の全長や連接本数によって調整することが可能である。さらに、ジョイント金具７０の数量を増減させる場合にも、連結支柱１０の連接本数（つまり、ジョイント金具７０が介装される両ネジ１２，１３の連結部）を増減させればよい。
【００６３】
また、先述したように、ジョイント金具７０には３パターン用意されており、ジョイント金具７０が取り付けられる部位（つまり、両ネジ１２，１３、両ネジ４２，１３および両ネジ１２，６３の各連結部）に対する各種遊具の取り付けがない場合は、連結腕部７２を有しないジョイント金具７０ｃが介装される。ジョイント金具７０が取り付けられる部位に１つの各種遊具が取り付けられる場合は、１の連結腕部７２を有するジョイント金具７０ｂが介装される。ジョイント金具７０が取り付けられる部位に２つの各種遊具が取り付けられる場合は、２の連結腕部７２を有するジョイント金具７０ａが介装される。
【００６４】
作業者は、総合遊具１の骨組み構造を完成させると、当該骨組み構造を地表に立設させたうえで各種遊具の取り付けを行なう。本実施形態では、総合遊具１の骨組み構造への各種遊具の取り付けは、床基部２０のフランジ３２に形成されたボルト孔３３やジョイント金具７０の連結腕部７２に形成されたボルト孔７３に、各種遊具に予め形成されたボルト孔を連通させて、当該連通された両ボルト孔にボルトを挿入してナットに締結することで、床基部２０またはジョイント金具７０に各種遊具を連結固定する。
【００６５】
具体的には、図１〜図３に示す総合遊具１では、スベリ台２０１は、その上端が踊り場３ａの支柱２ａ，２ｃ間のフランジ３２に連結固定されるとともに、その下端へ向けて滑降面が下方傾斜するように設置される。半割丸太登り２０３は、その上端が踊り場３ｂの支柱２ｃ，２ｅ間のフランジ３２に連結固定されるとともに、その下端へ向けて昇降面が円弧状に湾曲傾斜するように設置される。アーチネット登り２０４は、その上端が踊り場３ｃの支柱２ｈ，２ｊ間のフランジ３２に連結固定されるとともに、その下端へ向けて昇降面が円弧状に湾曲傾斜するように設置される。ネットブリッジ２０５は、その上端が踊り場３ｄの支柱２ｉ，２ｋ間のフランジ３２に連結固定されるとともに、その下端が踊り場３ｂの支柱２ｄ，２ｆ間のフランジ３２に連結固定される。グリップ登り２０７は、その上端が踊り場３ｄの支柱２ｋ，２ｌ間のフランジ３２に連結固定されるとともに、その下端へ向けて昇降面が下方傾斜するように設置される。階段２０８は、その上端が踊り場３ｂの支柱２ｅ，２ｆ間のフランジ３２に連結固定されるとともに、その下端へ向けて複数の段差が設置される。
【００６６】
ここで、図１０に示すように、支柱２ｃには、キャップ金具６０および脚部４０と連結された連結支柱１０の両端側にジョイント金具７０ｂが介装され、支柱２ｅには、キャップ金具６０および脚部４０と連結された連結支柱１０の両端側にジョイント金具７０ａが介装されている。そして、これらのジョイント金具７０ａ，７０ｂの連結腕部７２が、平面視で床基部２０のフランジ３２と略一致するように本体円筒７１から延びている。上方側で一対をなすジョイント金具７０ａ，７０ｂの各連結腕部７２には、先述の手摺用パイプ３０２が当該連結腕部７２のボルト孔７３にて略水平に連結固定される。下方側で一対をなすジョイント金具７０ａ，７０ｂの各連結腕部７２には、小径をなす長尺筒状の鉄パイプである手摺部８０が、その曲げ加工された下端縁を各連結腕部７２に面接触させつつボルト孔７３にて略垂直に連結固定される。なお、各手摺部８０の上端縁は、手摺用パイプ３０２内に挿入されるようになっている。これにより、各手摺部８０は、踊り場３ｂに取り付けられた半割丸太登り２０３への昇降時に利用者が把持可能であるともに、その上端縁が外部に露出しないように被覆されるため利用者が手などを怪我するおそれがない。なお、グリップ登り２０７が取り付けられる踊り場３ｄの縁部上方、および、アーチネット登り２０４が取り付けられる踊り場３ｃの縁部上方にも、図１０と同様に手摺用パイプ３０２および一対の手摺部８０が設けられている。
【００６７】
また、図１１に示すように、支柱２ｅ，２ｆには、キャップ金具６０および脚部４０と連結された連結支柱１０の両端側にジョイント金具７０ａがそれぞれ介装される。そして、これらのジョイント金具７０ａの連結腕部７２が、平面視で床基部２０のフランジ３２と略一致するように本体円筒７１から延びている。上方側および下方側でそれぞれ一対をなすジョイント金具７０ａ，７０ａの各連結腕部７２には、先述のタラップ３０１が当該連結腕部７２のボルト孔７３にて略垂直に連結固定される。これにより、タラップ３０１は、踊り場３ｂに取り付けられた階段２０８への昇降時に、利用者がその内側を潜ることが可能となるように配置される。
【００６８】
なお、図１０および図１１に例示したように、２本の支柱２間に対向するジョイント金具７０の各連結腕部７２と当該２本の支柱２に架設されるフランジ３２とが平面視で略一致した部位は、踊り場３ｂのみならず、他の踊り場３ａ，３ｃ，３ｄについても同様に形成される。そして、各踊り場３の縁部から上方に向けて、装飾パネル２１０，２１１，２１２や開口パネル２１３，２１４，２１５などが、各連結腕部７２およびフランジ３２にそれぞれ形成されたボルト孔７３，３３にて連結固定される。そして、パイプスライダー２０２は、踊り場３ｄの右側縁部上方に固定された開口パネル２１３に、その上端が当該開口パネル２１３の開口と連通するように固定されるとともに、その下端へ向けて滑降面が下方に蛇行傾斜するように設置される。また、ハーフトンネル２０６は、踊り場３ａの右側縁部上方に固定された開口パネル２１４、および、踊り場３ｃの左側縁部上方に固定された開口パネル２１５に、その内部が各開口パネル２１４，２１５の開口と連通するように略水平に固定される。
【００６９】
このように、作業者は、総合遊具１の骨組み構造において、床基部２０のフランジ３２に形成されたボルト孔３３やジョイント金具７０の各連結腕部７２に形成されたボルト孔７３を利用して、任意の各種遊具などを任意の位置に取り付けて総合遊具１の組み立てが完成する。なお、各種遊具の適宜位置において、当該遊具を下方から支持する遊具支柱２２０を地表に立設（または、その下端側を地中に埋設）しておくことで、総合遊具１の耐久性および安全性が向上する。
【００７０】
以上、本実施形態に係る総合遊具１によれば、連結支柱１０、床基部２０、地際金具５０、キャップ金具６０およびジョイント金具７０を互いの雄ネジおよび雌ネジで羅合させるだけで骨組み構造が完成し、この骨組み構造の適宜位置に各種遊具を取り付ければよいため、総合遊具１を容易かつ迅速に組み立てることができる。また、総合遊具１を分割構成する各部材を、その設置場所まで運搬したうえで組み立てればよいため、総合遊具１の運搬時における作業者の手間や負担が軽減される。しかも、汎用性のある各種遊具を、総合遊具１の適宜位置に取り付けることができるので、設置条件や利用者ニーズに応じた自由度の高い大型遊具を実現できる。このように、総合遊具１では、遊園地や公園などの屋外に設置される大型遊具を容易に組立てることができるとともに、その組立から施工までの一連の作業を省力化することができる
【００７１】
また、連結支柱１０、床基部２０、地際金具５０、キャップ金具６０およびジョイント金具７０を互いの雄ネジおよび雌ネジを連結させて繋ぎ合わせるだけで（特に、二以上の連結支柱１０を連接するだけで）、任意の全長をなす一体の支柱２を形成することができ、総合遊具１の高さを任意に設定することができる。そして、総合遊具１を立設した際には、床基部２０の床部３０（つまり、踊り場３）が地上からみた最適な高さに位置決めされるようにすることができ、利用者の利用頻度が高い踊り場３の高さ調整も容易である。さらに、１組の支柱２および踊り場３で構成される各ユニットを平面方向に連設することで、総合遊具１の平面方向の大きさ（広さ）も任意に設定可能である。
【００７２】
しかも、総合遊具１の骨組み構造を形成する各部材（連結支柱１０、床基部２０、地際金具５０、キャップ金具６０およびジョイント金具７０）を全て鉄製の金具類とするのみならず、その立設状態において下方の雄ネジが上方の雌ネジに内挿されるねじ込み構造を採用するとともに、利用者の荷重が大きい床部３０が各脚部４０に予め一体化された床基部２０を用いたため、総合遊具１を大型化しても安定性および耐久性に確保することができる。さらに、地際金具５０および床基部２０の床部３０は、特殊コーティング加工が予め施されているため、総合遊具１の安定性および耐久性をより確実にすることができる。
【００７３】
ところで、本実施形態において、総合遊具１が本発明の「屋外用組立式遊具」に相当する。連結支柱１０が、本発明の「連結支柱」に相当する。床基部２０が、本発明の「床基部」に相当する。地際金具５０が、本発明の「ベース柱」に相当する。スベリ台２０１、パイプスライダー２０２、半割丸太登り２０３、アーチネット登り２０４、ネットブリッジ２０５、ハーフトンネル２０６、グリップ登り２０７、階段２０８、装飾パネル２１０，２１１，２１２、開口パネル２１３，２１４，２１５、タラップ３０１および手摺用パイプ３０２が、本発明の「遊具部材」に相当する。
【００７４】
なお、本発明は、上記の好ましい実施形態に記載されているが、本発明はそれだけに制限されない。本発明の精神と範囲から逸脱することのない様々な実施形態が可能である。
【００７５】
例えば、本実施形態の総合遊具１では、支柱２が複数の金属性円筒（連結支柱１０や脚部４０など）で長尺直線状である場合を例示したが、各金属性円筒を連接可能であれば、長手方向に湾曲した複数の金属性円筒を連接することで、支柱２を長尺湾曲状に構成してもよい。また、踊り場３の平面形状を略正方形である場合を例示したが、床部３０の床面３１の形状を適宜変更することで、踊り場３の平面形状を円形や他の矩形状にしてもよい。つまり、総合遊具１の支柱２や踊り場３は、その設置条件や利用者ニーズに応じて任意に構成することができる。
【００７６】
また、各種遊具を支柱２（つまり、ジョイント金具７０の連結腕部７２）や踊り場３（つまり、床基部２０のフランジ３２）にボルトおよびナットで連結固定する場合を例示したが、各種遊具の取り付けはかかる態様に限定されない。各種遊具が支柱２や踊り場３に溶着または接着される態様であってり、各種遊具が支柱２や踊り場３に形成される切欠や突起に係合される態様であってもよい。なお、総合遊具１の組立および設置が完了した後に、当該総合遊具１に取り付けられた各種遊具が交換される場合などを考慮すると、各種遊具の着脱が容易な取り付け態様がより好適である。
【００７７】
また、総合遊具１の骨組み構造を分割構成する各種部材（連結支柱１０や脚部４０など）は鉄製の金具類である場合を例示したが、総合遊具１に要求される安全性および耐久性を満たすものであれば、他の金属製（例えば、ステンレスなど）であってもよい。また、地際金具５０および床基部２０の床部３０は、特殊コーティング加工によるウレタン塗膜を形成した場合を例示したが、防水性および弾性の要求を満たすのであれば他の樹脂層（例えば、シリコン塗膜など）であってもよい。
【符号の説明】
【００７８】
１  総合遊具
２  支柱
３  踊り場
１０  連結支柱
１２  雄ネジ
１３  雌ネジ
２０  床基部
３０  床部
３１  床面
３２  フランジ
３３  ボルト孔
４０  脚部
４２  雄ネジ
４３  雌ネジ
５０  地際金具
５２  雄ネジ
５３  スタンドベース
６０  キャップ金具
６２  キャップ体
６３  雌ネジ
７０  ジョイント金具
７２  連結腕部
７３  ボルト孔
２０１  スベリ台
２０２  パイプスライダー
２０３  半割丸太登り
２０４  アーチネット登り
２０５  ネットブリッジ
２０６  ハーフトンネル
２０７  グリップ登り
２０８  階段
【図１】
2010193968.tif 000003
【図２】
2010193968.tif 000004
【図３】
2010193968.tif 000005
【図４】
2010193968.tif 000006
【図５】
2010193968.tif 000007
【図６】
2010193968.tif 000008
【図７】
2010193968.tif 000009
【図８】
2010193968.tif 000010
【図９】
2010193968.tif 000011
【図１０】
2010193968.tif 000012
【図１１】
2010193968.tif 000013
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
一の端縁部における内周面に雌ネジが形成されるとともに、他の端縁部における外周面に雄ネジが形成された金属製の円筒体である複数の連結支柱と、
平面形状を有する金属製の板体である床部、および、前記連結支柱と略一致する断面をなす金属製の円筒体である複数の脚部、を有しており、当該床部の平面に対して当該複数の脚部の軸線がそれぞれ略直交するように設けられた一以上の床基部と、
前記連結支柱と略一致する断面をなす金属製の円筒体であって、一の端縁部が閉口された複数のベース柱と、
前記連結支柱および前記脚部の少なくとも一方に着脱自在に構成された複数種類の遊具部材と、
前記複数種類の遊具部材と前記連結支柱および前記脚部の少なくとも一方との接続を仲介する複数のジョイント金具と、
を少なくとも備えており、
前記複数の連結支柱は、一の前記連結支柱に形成された前記雌ネジに他の前記連結支柱に形成された雄ネジを螺合させることによって連接自在に構成されるとともに、
前記複数の脚部の各々は、一の端縁部における内周面に、前記連結支柱に形成された前記雄ネジを螺合可能な雌ネジが形成されるとともに、他の端縁部における外周面に、前記連結支柱に形成された前記雌ネジに螺合可能な雄ネジが形成される一方、
前記複数のベース柱は、前記一の端縁部とは異なる他の端縁部における外周面に、前記連結支柱に形成された前記雌ネジに螺合可能な雄ネジが形成されており、
前記複数のジョイント金具の各々は、前記連結支柱、前記脚部および前記ベース柱の各断面外周形状と略一致する断面外周形状をもつ金属製の円筒体であって、前記連結支柱の前記雄ネジ、前記ベース柱の前記雄ネジ、および、前記脚部の前記雄ネジを嵌挿可能に構成された本体部と、当該本体部の外周面から突設された少なくとも一の連結腕部と、を有し、
前記連結腕部は、前記複数種類の遊具部材を着脱可能に構成されている
ことを特徴とする屋外用組立式遊具。
【請求項２】
前記ジョイント金具の各々は、前記複数種類の遊技部材に含まれる二以上の種類の前記遊具部材を取り付け可能に構成されている
ことを特徴とする請求項１に記載の屋外用組立式遊具。
【請求項３】
前記複数のジョイント金具は、第１のジョイント金具と、当該第１のジョイント金具の上方に配設された第２のジョイント金具と、を含み、
前記複数種類の遊具部材は、下端で前記第１のジョイント金具の前記連結腕部に取り付けられた長尺の手摺部と、軸方向が略水平方向に沿うように前記第２のジョイント金具に取り付けられた筒状体であって前記手摺部の上端を内挿可能な穴をもつ手摺用パイプ体と、を含む
ことを特徴とする請求項１または２に記載の屋外用組立式遊具。
【手続補正２】
【補正対象書類名】明細書
【補正対象項目名】００１０
【補正方法】変更
【補正の内容】
【００１０】
上記課題を解決するための本発明は、一の端縁部における内周面に雌ネジが形成されるとともに、他の端縁部における外周面に雄ネジが形成された金属製の円筒体である複数の連結支柱と、平面形状を有する金属製の板体である床部、および、前記連結支柱と略一致する断面をなす金属製の円筒体である複数の脚部、を有しており、当該床部の平面に対して当該複数の脚部の軸線がそれぞれ略直交するように設けられた一以上の床基部と、前記連結支柱と略一致する断面をなす金属製の円筒体であって、一の端縁部が閉口された複数のベース柱と、前記連結支柱および前記脚部の少なくとも一方に着脱自在に構成された複数種類の遊具部材と、前記複数種類の遊具部材と前記連結支柱および前記脚部の少なくとも一方との接続を仲介する複数のジョイント金具と、を少なくとも備えており、前記複数の連結支柱は、一の前記連結支柱に形成された前記雌ネジに他の前記連結支柱に形成された雄ネジを螺合させることによって連接自在に構成されるとともに、前記複数の脚部の各々は、一の端縁部における内周面に、前記連結支柱に形成された前記雄ネジを螺合可能な雌ネジが形成されるとともに、他の端縁部における外周面に、前記連結支柱に形成された前記雌ネジに螺合可能な雄ネジが形成される一方、前記複数のベース柱は、前記一の端縁部とは異なる他の端縁部における外周面に、前記連結支柱に形成された前記雌ネジに螺合可能な雄ネジが形成されており、前記複数のジョイント金具の各々は、前記連結支柱、前記脚部および前記ベース柱の各断面外周形状と略一致する断面外周形状をもつ金属製の円筒体であって、前記連結支柱の前記雄ネジ、前記ベース柱の前記雄ネジ、および、前記脚部の前記雄ネジを嵌挿可能に構成された本体部と、当該本体部の外周面から突設された少なくとも一の連結腕部と、を有し、前記連結腕部は、前記複数種類の遊具部材を着脱可能に構成されていることを特徴とする。更に、前記ジョイント金具の各々は、前記複数種類の遊技部材に含まれる二以上の種類の前記遊具部材を取り付け可能に構成されていることが好ましい。また更に、前記複数のジョイント金具は、第１のジョイント金具と、当該第１のジョイント金具の上方に配設された第２のジョイント金具と、を含み、前記複数種類の遊具部材は、下端で前記第１のジョイント金具の前記連結腕部に取り付けられた長尺の手摺部と、軸方向が略水平方向に沿うように前記第２のジョイント金具に取り付けられた筒状体であって前記手摺部の上端を内挿可能な穴をもつ手摺用パイプ体と、を含むことが好ましい。